(57)【要約】      （修正有）【課題】忌避線架線具の取り付けの作業性を向上させる忌避線架線具用容器を提供する。【解決手段】架空線に取り付け可能な複数の忌避線架線具３を収容可能な忌避線架線具用容器１であって、複数の忌避線架線具３を一列に並べて収容可能に構成された収容部１１と、収容部１１に繋がっており、架空線に係止可能に構成された係止部１２と、を備え、係止部１２が架空線に係止したときには、収容部１１が架空線を基準とした所定の位置に配置される。【選択図】図４
0003220850.tif 000002
【実用新案登録請求の範囲】
【請求項１】
架空線に取り付け可能な複数の忌避線架線具を収容可能な忌避線架線具用容器であって、
前記複数の忌避線架線具を一列に並べて収容可能に構成された収容部と、
前記架空線に係止可能に構成された係止部と、を備える、忌避線架線具用容器。
【請求項２】
請求項１に記載の忌避線架線具用容器であって、
前記忌避線架線具は、当該忌避線架線具を前記架空線に取り付けるための取付部を有しており、
前記収容部に収容された前記忌避線架線具の前記取付部が前記架空線に取り付けられた状態から、前記係止部を前記架空線に係止させると、前記忌避線架線具が前記架空線により押し上げられて前記収容部から浮いた浮き状態となる、忌避線架線具用容器。
【請求項３】
請求項２に記載の忌避線架線具用容器であって、
前記収容部は、該収容部に収容された前記忌避線架線具の前記取付部よりも、該収容部を形成する壁面の少なくとも一部が低く構成され、それにより、該収容部に収容された前記忌避線架線具の前記取付部が前記架空線に取付可能となるように構成されている、忌避線架線具用容器。
【請求項４】
請求項２又は請求項３に記載の忌避線架線具用容器であって、
前記忌避線架線具は、前記架空線に取り付けられた状態において、所定の範囲で変位可能に構成されており、
前記収容部は、前記浮き状態において前記忌避線架線具が変位したときに、前記忌避線架線具の少なくとも一部が前記収容部の外部に張り出し可能となるように構成されている、忌避線架線具用容器。
【請求項５】
請求項２から請求項４のいずれか１項に記載の忌避線架線具用容器であって、
前記取付部は、開閉可能な蓋部を備え、該蓋部が開いたときに前記取付部の前記架空線に対する取り付け及び取り外しが可能となるように構成されており、
前記収容部は、前記忌避線架線具が該収容部に収容された状態において、使用者による前記蓋部を開閉する操作が実行可能に構成されている、忌避線架線具用容器。
【請求項６】
請求項１から請求項５のいずれか１項に記載の忌避線架線具用容器であって、
前記収容部に収容された前記複数の忌避線架線具が並ぶ方向を配列方向としたときに、前記係止部は、前記配列方向に関して離れた２箇所に設けられている、忌避線架線具用容器。
【請求項７】
請求項１から請求項６のいずれか１項に記載の忌避線架線具用容器であって、
前記収容部の底部には、使用者の指が挿入可能な開口が設けられている、忌避線架線具用容器。
【請求項８】
請求項１から請求項７のいずれか１項に記載の忌避線架線具用容器であって、
前記係止部は、前記収容部を構成する壁面に形成された、前記架空線が挿入可能な切れ込みを備える、忌避線架線具用容器。
【請求項９】
請求項８に記載の忌避線架線具用容器であって、
前記収容部は、上方の少なくとも一部が開放された箱状の部材であり、
前記切れ込みは、少なくとも上下方向に長さを有する部分を備える、忌避線架線具用容器。
【請求項１０】
請求項１から請求項９のいずれか１項に記載の忌避線架線具用容器と、
前記収容部に収容される複数の忌避線架線具と、
前記複数の忌避線架線具それぞれに保持される忌避線と、
を含む忌避線架線具セット。
【考案の詳細な説明】
【技術分野】
【０００１】
本開示は、架空線に取り付けられ、忌避線を架空線に架ける忌避線架線具を収容する忌避線架線具用容器に関する。
【背景技術】
【０００２】
架空線には、鳥害を防止するため、架空線の上方に鳥害防止用の忌避線が架けられることがある。この忌避線を架空線の上方に架けるために用いられるのが忌避線架線具であり、架空線には複数の忌避線架線具が架空線の長手方向に沿って所定間隔ごとに設置される。忌避線架線具は、架空線に取り付けるための部分と、忌避線を支持するための部分と、を含む。
【先行技術文献】
【特許文献】
【０００３】
【特許文献１】特開２０１３−１４１４５２号公報
【考案の概要】
【考案が解決しようとする課題】
【０００４】
忌避線架線具は架空線に間隔を空けて複数取り付けられる。そのため、取り付けの作業性を高めることが望まれる。
本開示の目的は、忌避線架線具の取り付けの作業性を向上させる技術を提案することである。
【課題を解決するための手段】
【０００５】
本開示の一態様は、架空線に取り付け可能な複数の忌避線架線具を収容可能な忌避線架線具用容器である。忌避線架線具用容器は、収容部と、係止部と、を備える。収容部は、複数の忌避線架線具を一列に並べて収容可能に構成されている。係止部は、架空線に係止可能に構成されている。
【０００６】
このような構成であれば、係止部によって忌避線架線具用容器を架空線に取り付けることができる。そのため、忌避線架線具用容器を架空線の近傍に配置することができることにより、複数の忌避線架線具を架空線の近傍に配置して作業できることとなり、忌避線架線具の架空線への取り付けの作業性を向上させることができる。
【０００７】
上述した忌避線架線具は、当該忌避線架線具を架空線に取り付けるための取付部を有していてもよい。その場合、上記忌避線架線具用容器は、収容部に収容された忌避線架線具の取付部が架空線に取り付けられた状態から、係止部を架空線に係止させると、忌避線架線具が架空線により押し上げられて収容部から浮いた浮き状態となるように構成されていてもよい。
【０００８】
このような構成であれば、架空線に係止部を係止したときに、予め忌避線架線具の取付部を架空線に取り付けておけば、忌避線架線具が浮き上がるため、収容部に収容されたままの状態よりも作業が行いやすくなる。なお、取付部が架空線に取り付けられた状態とは、必ずしも架空線から取付部が脱落しないように取り付けられた状態のみでなく、例えば取付部に架空線が引っ掛かっているような、一時的に架空線に忌避線架線具が取り付けられた状態、あるいは、取付部を架空線に固定するステップの途中の段階である状態も含む。
【０００９】
なお、上述した収容部は、該収容部に収容された忌避線架線具の取付部よりも、該収容部を形成する壁面の少なくとも一部が低く構成され、それにより、該収容部に収容された忌避線架線具の取付部が架空線に取付可能となるように構成されていてもよい。このような構成であれば、収容部に収容された忌避線架線具の取付部が架空線に取り付けられた状態を、容易に形成することができる。
【００１０】
また、忌避線架線具は、架空線に取り付けられた状態において、所定の範囲で変位可能に構成されていてもよい。その場合、収容部は、浮き状態において忌避線架線具が変位したときに、忌避線架線具の少なくとも一部が収容部の外部に張り出し可能となるように構成されていてもよい。このような構成であれば、忌避線架線具の一部を収容部の外部に張り出した状態とすることができるため、その部分を対象とする操作を容易に行うことができる。
【００１１】
また上述した取付部は、開閉可能な蓋部を備え、該蓋部が開いたときに取付部の架空線に対する取り付け及び取り外しが可能となるように構成されていてもよい。その場合、収容部は、忌避線架線具が該収容部に収容された状態において、使用者による蓋部を開閉する操作が実行可能に構成されていてもよい。このような構成であれば、忌避線架線具が収容部に収容されたまま、蓋部が閉じられた状態から開いた状態へと遷移させる操作を行うことができる。
【００１２】
また、収容部に収容された複数の忌避線架線具が並ぶ方向を配列方向としたときに、係止部は、配列方向に関して離れた２箇所に設けられていてもよい。このような構成であれば、係止部が２箇所に設けられることにより、忌避線架線具用容器を架空線に安定して係止させることができる。
【００１３】
また、収容部の底部には、使用者の指や、収容部を保持可能な工具における操作部分（保持機能部分）が挿入可能な開口が設けられていてもよい。このような構成であれば、上述した開口に指や工具を差し込んで収容部を持つことができるため、使用者が収容部を落としてしまうことを抑制できる。
【００１４】
また上述した係止部は、収容部を構成する壁面に形成された、架空線が挿入可能な切れ込みであってもよい。このような構成であれば、収容部を構成する壁面の一部を係止部として構成することができ、また、係止部を構成するための他の部品を用いる必要が無くなり都合がよい。なお、上述した収容部は、上方の少なくとも一部が開放された箱状の部材であり、上記切れ込みは、少なくとも上下方向に長さを有する部分を備えてもよい。
【００１５】
本開示の別の一態様は、上述した忌避線架線具用容器と、収容部に収容される複数の忌避線架線具と、複数の忌避線架線具それぞれに保持される忌避線と、を含む忌避線架線具セットである。このような構成であれば、上述した本開示の一態様の忌避線架線具用容器による、忌避線架線具の取り付けの作業性を向上させる効果を奏することができる。
【図面の簡単な説明】
【００１６】
【図１】実施形態の忌避線架線具用容器を示す斜視図である。
【図２】実施形態の忌避線架線具用容器を示す図であって、図２Ａが正面図であり、図２Ｂが平面図であり、図２Ｃが底面図であり、図２Ｄが左側面図であり、図２Ｅが右側面図であり、図２Ｆが背面図である。
【図３】忌避線架線具を示す斜視図である。
【図４】忌避線架線具を忌避線架線具用容器に収容した状態を示す斜視図である。
【図５】図５Ａ−５Ｃが、忌避線架線具の架空線への取り付け方法を説明する図である。
【図６】忌避線架線具を変位させた状態を示す断面図である。
【図７】忌避線架線具用容器を取り外した状態を示す斜視図である。
【図８】図８Ａ−８Ｅが、忌避線架線具用容器の使用例を説明するための写真である。
【図９】図９Ａ−９Ｄが、忌避線架線具用容器の使用例を説明するための写真である。
【考案を実施するための形態】
【００１７】
［１．実施形態］
［１−１．忌避線架線具用容器の構成］
図１及び図２Ａ−２Ｆに示される忌避線架線具用容器１は、架空線５に取り付け可能な複数の忌避線架線具３を収容可能な容器である。この忌避線架線具用容器１は、収容部１１と、係止部１２と、を備える。
【００１８】
なお以下の説明において、忌避線架線具用容器１の構成を説明するために前後左右等の方向を用いるが、これらの方向は説明の便宜上用いるにすぎず、それらの方向により本開示の使用態様等が限定されることはない。
【００１９】
収容部１１は、前板２１、左側板２２Ｌ、右側板２２Ｒ、後板２３、及び底板２４を含む薄板状の部材によって構成され、上方の少なくとも一部が開放された箱状の部材である。収容部１１を構成する材料は特に限定されないが、例えば、ダンボールや厚紙などの紙、合成樹脂などを用いることができる。収容部１１は、図３に示す忌避線架線具３を左右方向に一列に並べて収容することができるように構成されている。
【００２０】
前板２１と後板２３とは前後に間隔を空けて平行に配置されている。前板２１は上下方向の長さが後板２３よりも小さく、上方に大きな空間が形成される。そのため、前側から収容部１１への忌避線架線具３の収容や取り出しを容易に行うことができる。左側板２２Ｌと右側板２２Ｒは、左右に間隔を空けて平行に配置されており、これらと前板２１及び後板２３と組み合わせることで、収容領域の前後左右を囲う壁面が構成される。左側板２２Ｌ及び右側板２２Ｒは、上述した係止部１２を構成する。
【００２１】
底板２４は収容部１１の底部分に配置され、収容された忌避線架線具３を下方から支持する。底板２４の中央部には、四角形の貫通孔である開口２５が設けられている。この開口２５は忌避線架線具３よりも十分に小さいため、忌避線架線具３が開口２５から落下することはないが、使用者の指や所定の工具が挿入可能な大きさである。なお底板２４が、収容部の底部に相当する。
【００２２】
係止部１２は、図５Ｃなどに示されるように、架空線５に係止可能に構成されている。係止部１２は、図２Ｄ，２Ｅなどに示されるように、収容部１１を構成する壁面である左側板２２Ｌ及び右側板２２Ｒに形成された、架空線５が挿入可能な切れ込み３１を備える。切れ込み３１は、左側板２２Ｌ及び右側板２２Ｒの前端面から後方に延びる前後部分３２と、前後部分３２の後端から上方に延びる上下部分３３と、を有する。係止部１２は、左右方向に関して離れた２か所に設けられる。ここでいう左右方向とは、収容部１１に収容された複数の忌避線架線具３が並ぶ方向（配列方向）である。上下部分３３が、上下方向に長さを有する部分に相当する。
【００２３】
［１−２．忌避線架線具の構成］
忌避線架線具３は、図示しない忌避線を架空線に沿って架けるための装置であって、図３に示されるように、取付部４１と、保持部４２と、を備える。
【００２４】
取付部４１は、当該忌避線架線具３を架空線５に取り付けるための部分であって、開閉可能な蓋部４３を備える。蓋部４３が開いたときに取付部４１の架空線５に対する取り付け及び取り外しが可能となる。蓋部４３を閉じた状態では、取付部４１は閉じた環状となり、架空線５の取り付け、及び、既に取り付けられた架空線５の取り外しが不能になる。
【００２５】
取付部４１の下部には操作部４４が設けられている。使用者がこの操作部４４を操作すると、移動部４５が上下に移動する。移動部４５が上方に移動しているときには、閉じられた状態の蓋部４３が移動部４５にロックされて、蓋部４３を開くことができなくなる。また移動部４５を上方に移動させることで、移動部４５と取付部４１の上側部分４１ａによって架空線５を挟むことができ、これにより、取付部４１を架空線５に対して固定することができる。
保持部４２は、忌避線を保持可能に構成されている。保持部４２の具体的な構成は特に限定されない。
【００２６】
［１−３．忌避線架線具の忌避線架線具用容器への収容及び架空線への取り付け］
図４に、忌避線架線具用容器１に忌避線架線具３を収容した状態を示す。なお、図４では１つの忌避線架線具３のみを示しているが、実際には複数の忌避線架線具３を収容可能である。
【００２７】
収容部１１は、忌避線架線具３が収容部１１に収容された状態において、使用者による蓋部４３を開閉する操作が実行可能となるように、前板２１の高さが設定されている。例えば、前板２１の高さは、収容部１１に収容された蓋部４３が変位する際に通過する空間の下端よりも低い高さとしてもよい。しかしながらこれに限定されず、例えば忌避線架線具３を後方寄りに収容した場合に、蓋部４３と当接しない（開閉を妨げない）高さに前板２１の高さが設定されていてもよい。
【００２８】
次に、忌避線架線具３の架空線５への取り付けを説明する。
図５Ａに示されるように、忌避線架線具３の蓋部４３を開いた状態で、忌避線架線具用容器１を前方に移動させて架空線５に接近させる。前後部分３２は、取付部４１とほぼ同じ高さに形成されている。また、前板２１は前後部分３２よりも低い。そのため、図５Ｂに示されるように、蓋部４３を開いて前方から架空線５を接近させると、架空線５が前後部分３２に進入するとともに架空線５が取付部４１の内部に収まる。このようにして、収容部１１に収容された忌避線架線具３の取付部４１が架空線５に取り付けられた状態となる。
【００２９】
つまり、収容部１１に収容された忌避線架線具３の取付部４１よりも、収容部１１を形成する壁面の少なくとも一部（前板２１、並びに、左側板２２Ｌ及び右側板２２Ｒの前後部分３２より下方の部分）が低く構成されている。それにより、収容部１１に収容された状態であっても、忌避線架線具３の取付部４１が架空線５に取付可能となる。
【００３０】
図５Ｃに示されるように、忌避線架線具用容器１を下方に移動して、架空線５が上下部分３３の内部を相対的に上方に移動すると、上下部分３３の上端に架空線５が当接し、架空線５に係止部１２が係止される。このとき、忌避線架線具３が架空線５により押し上げられて収容部１１から浮いた浮き状態となる。ここでいう浮き状態とは、忌避線架線具３が底板２４から浮き上がった状態であれば、忌避線架線具３の全体が底板２４から離れていてもよいし、忌避線架線具３の一部が底板２４に当接したままであってもよい。つまり、図５Ｃに示されるように底板２４から完全に離れる場合のみでなく、忌避線架線具３が浮き上がっているが、底板２４に忌避線架線具３の下端の一部が当接している場合も含む。
【００３１】
なお、上述した「取付部４１が架空線５に取り付けられた状態」とは、必ずしも架空線５から取付部４１が脱落しないように取り付けられた状態に限定されない。少なくとも、架空線５に係止部１２が係止されたときに、上述した浮き状態となる状態であればよい。本実施形態では、蓋部４３が開いた状態の取付部４１の内部に架空線５が挿入された状態が、上記の状態に相当する。もちろん、図５Ｂのように架空線５が取付部４１の内部に収まった時点で蓋部４３を閉じて、架空線５から取付部４１が脱落しないように操作してもよい。
【００３２】
忌避線架線具３は、架空線５に取り付けられた状態において、所定の範囲で変位可能に構成されている。具体的には、架空線５と取付部４１を中心として回動するように変位可能である。図６に示されるように、収容部１１は、浮き状態において忌避線架線具３が変位したときに、操作部４４が収容部１１の前方の外部に張り出し可能となるように構成されている。なお、後板２３の高さは、少なくとも操作部４４が前方に張り出すまでは保持部４２の移動を制限しない高さに設定されている。
【００３３】
図７に示すように、忌避線架線具３を架空線５に取り付けた後に、忌避線架線具用容器１を外すことで、忌避線架線具３のみが架空線５に取り付けられる。なお、忌避線架線具用容器１を例えば段ボールや厚紙のような容易に破ることができる素材で構成しておけば、忌避線架線具用容器１を破いて外すことができる。
【００３４】
［１−４．使用例］
実際の使用例を、図８Ａ−図９Ｄを用いて説明する。図８Ａに示されるように、忌避線架線具用容器１には、複数の忌避線架線具３を左右に並べて配置することができる。このときに、複数の忌避線架線具３は、それぞれの保持部４２に忌避線７が保持された状態としておくことができる。このような忌避線架線具用容器１、複数の忌避線架線具３、及び忌避線７が、忌避線架線具セットに相当する。
【００３５】
図８Ｂに示されるように、複数の忌避線架線具３の蓋部４３をすべて開く。これにより、忌避線架線具３の取付部４１に架空線５を挿入することが可能となる。
そして図８Ｃに示されるように、開口２５に指を通して保持することで、忌避線架線具用容器１と複数の忌避線架線具３の全体を容易に持つことができる。なお、図示しないが、開口２５に端部を挿入して忌避線架線具用容器１を保持する工具を用いて１を保持することもできる。図８Ｄのように前方から架空線５を差し込むと、前後部分３２に挿入されるとともに、すべての忌避線架線具３の取付部４１の内部にも挿入される。ここで、図８Ｅのように架空線５に係止部１２を引っ掛けることで、すべての忌避線架線具３が浮き状態となる。
【００３６】
図９Ａに示されるように忌避線架線具用容器１を傾斜させると、相対的に忌避線架線具３の下端部分（操作部４４）が忌避線架線具用容器１の前方に位置する。すべての蓋部４３を閉めて操作部４４を操作すると、蓋部４３がロックされる。これにより忌避線架線具３が架空線５から脱落することが抑制される。
【００３７】
図９Ｂに示されるように、忌避線架線具用容器１を外した後、図９Ｃに示されるように忌避線架線具３を移動させることで、忌避線７が伸び、図９Ｄに示されるように忌避線７が架空線５に沿って張られた状態となる。
【００３８】
［１−５．効果］
以上詳述した実施形態によれば、以下の効果が得られる。
（ａ）忌避線架線具用容器１は、係止部１２によって架空線５に取り付けることができる。複数の忌避線架線具３を収容する忌避線架線具用容器１が架空線５の近傍に位置することとなるため、忌避線架線具３の架空線５への取り付けの作業性を向上させることができる。また、係止部１２が左右方向に関して離れた２箇所に設けられることにより、忌避線架線具用容器１を架空線５に安定して係止させることができる。
【００３９】
（ｂ）忌避線架線具用容器１は、係止部１２を架空線５に係止させると、複数の忌避線架線具３が浮き状態となるため、忌避線架線具３が収容部１１に収容されたままの状態よりも作業を行いやすくなる。
【００４０】
（ｃ）収容部１１は、該収容部１１に収容された忌避線架線具３の取付部４１よりも、前板２１、及び、左側板２２Ｌ又は右側板２２Ｒにおける前後部分３２の下端を構成する縁部が低く構成されている。これにより、忌避線架線具３は、収容部１１に収容された状態のままで取付部４１を架空線５に取り付けることができ、架空線５への忌避線架線具３の取り付けを容易に行うことができる。
【００４１】
（ｄ）収容部１１は、上述した浮き状態のときに忌避線架線具３が回転変位した場合、忌避線架線具３の少なくとも一部が収容部１１の外部に張り出し可能となるように構成されているため、浮き状態とした後に操作部４４を収容部１１の前方外部に張り出した状態とすることができ、操作部４４の操作を容易に行うことができる。
【００４２】
（ｅ）収容部１１は、忌避線架線具３が該収容部１１に収容された状態において、使用者による蓋部４３を開閉する操作が実行可能に構成されているため、忌避線架線具３が収容部１１に収容されたままで、蓋部４３が閉じられた状態から開いた状態へと遷移させることができる。
【００４３】
（ｆ）収容部１１の底部には、使用者の指が挿入可能な開口２５が設けられているため、上述した開口２５に指を差し込んで収容部１１を持つことができ、使用者が収容部１１を落としてしまうことを抑制できる。
【００４４】
（ｇ）係止部１２は、収容部１１を構成する壁面に形成された、架空線５が挿入可能な切れ込み３１であるため、収容部１１を構成する壁面の一部を係止部１２として構成することができ、また、係止部１２を構成するための他の部品を用いる必要が無くなり都合がよい。
【００４５】
［２．その他の実施形態］
以上、本開示の実施形態について説明したが、本開示は、上記実施形態に何ら限定されることはなく、本開示の技術的範囲に属する限り種々の形態をとり得ることはいうまでもない。
【００４６】
（２ａ）収容部１１は、複数の忌避線架線具３を一列に並べて収容可能であれば、その具体的な形状は上記実施形態にて例示した形状に限定されない。例えば収容部１１を構成する壁面の高さは上記実施形態にて例示した高さに限定されず、例示した高さより低くてもよいし、高くてもよい。その場合、収容部１１の機能の一部が制限されてもよい。また、忌避線架線具３を浮き状態としたときに、収容部１１の外部に張り出される部分が操作部４４以外の部分であってもよいし、いずれの部分も外部に張り出されないように構成されていてもよい。
【００４７】
また、底板２４には開口２５が形成される構成を例示したが、開口２５は使用者の指が挿入可能な形状であれば上記実施形態の構成に限定されず、例えばスリットのような形状であってもよい。また、開口２５は設けられていなくても良い。
【００４８】
（２ｂ）係止部１２は、架空線５に係止可能に構成されていれば、その具体的な構成は上記実施形態にて例示した構成に限定されない。例えば、係止部１２は、左側板２２Ｌ及び右側板２２Ｒに設けられた架空線５が挿入可能な切れ込み３１である構成を例示したが、左側板２２Ｌ及び右側板２２Ｒとは別個に設けられていてもよい。具体的には、係止部は後板２３に設けられていてもよいし、金属ワイヤーのような別の部材であってもよい。また、係止部１２の数は２に限らず、１つであってもよいし、３つ以上であってもよい。また、係止部１２を架空線５に係止したときに、浮き状態とならない構成であってもよい。
【００４９】
（２ｃ）忌避線架線具用容器１に収容される忌避線架線具３の構成は特に限定されない。例えば、取付部４１は、架空線５に取り付け可能な様々な構成とすることができる。また保持部４２の構造も特に限定されず、忌避線を保持可能な様々な構成とすることができる。
（２ｄ）忌避線架線具３は、架空線５に取り付けられた状態において回転変位可能である構成を例示した。しかしながら、忌避線架線具３は、回転以外の変位が可能である構成であってもよい。なお、ここでいう変位とは、架空線５に対して位置を変化させるという意味である。
【００５０】
（２ｅ）本開示の各構成要素は概念的なものであり、上記実施形態に限定されない。例えば、１つの構成要素が有する機能を複数の構成要素に分散させたり、複数の構成要素が有する機能を１つの構成要素に統合したりしてもよい。また、上記実施形態の構成の少なくとも一部を、同様の機能を有する公知の構成に置き換えてもよい。また、上記実施形態の構成の少なくとも一部を、他の上記実施形態の構成に対して付加、置換等してもよい。
【符号の説明】
【００５１】
１…忌避線架線具用容器、３…忌避線架線具、５…架空線、７…忌避線、１１…収容部、１２…係止部、２１…前板、２２Ｌ…左側板、２２Ｒ…右側板、２３…後板、２４…底板、２５…開口、３１…切れ込み、３２…前後部分、３３…上下部分、４１…取付部、４２…保持部、４３…蓋部、４４…操作部、４５…移動部  
【図１】
0003220850.tif 000003
【図２】
0003220850.tif 000004
【図３】
0003220850.tif 000005
【図４】
0003220850.tif 000006
【図５】
0003220850.tif 000007
【図６】
0003220850.tif 000008
【図７】
0003220850.tif 000009
【図８】
0003220850.tif 000010
【図９】
0003220850.tif 000011
【手続補正書】
【提出日】平成31年2月5日(2019.2.5)
【手続補正１】
【補正対象書類名】実用新案登録請求の範囲
【補正対象項目名】請求項１
【補正方法】変更
【補正の内容】
【請求項１】
架空線に取り付け可能な複数の忌避線架線具を収容可能な忌避線架線具用容器であって、
前記複数の忌避線架線具を一列に並べて収容可能に構成された収容部と、
前記収容部に繋がっており、前記架空線に係止可能に構成された係止部と、を備え、
前記係止部が前記架空線に係止したときには、前記収容部が前記架空線を基準とした所定の位置に配置される、忌避線架線具用容器。